(57)【要約】【課題】気密性を確保しつつ、ダンパ羽根を強固に固定して破損を防止することができる風量調節装置を提供する。【解決手段】メインダクト１００及び分岐ダクト１０２の分岐部に、羽根軸１２がメインダクト１００側に位置し、開度調整軸１３が分岐ダクト１０２側に位置するようにスプリットダンパ１を取り付ける。操作者は、羽根軸回動手段１５に設けられた角度表示部を確認しながら、ダンパ羽根１１が所望の角度となるようにハンドル１６を回転させて、分岐ダクト１０２ａ、１０２ｂへの風路断面を調整する。開度調整軸１３が長孔１４ａに保持され、ダンパ羽根１１が羽根軸１２と開度調整軸１３とで保持される。したがって、ダンパ羽根１１の振動を抑え、羽根軸１２やダンパ羽根１１の破損を防止することができる。また、羽根軸１２と孔１０ｂとの間を弾性体でシールため、高い気密性を確保できる。【選択図】  図２
2011112234.tif 000002
【特許請求の範囲】
【請求項１】
メインダクトと分岐ダクトとの接続部の前記メインダクト側に設けられた風量調節装置であって、
板状のダンパ羽根と、
前記ダンパ羽根の両側面の一端部に設けられるとともに前記メインダクトを貫通して配置される回動軸と、
前記ダンパ羽根の両側面の他端部に設けられた開度調整軸と、
前記回動軸と前記開度調整軸との距離を半径とし前記開度調整軸が嵌合されて摺動される円弧状の長孔を備えるとともに前記メインダクトの内壁部に設けられたガイド板と、
を備えたことを特徴とする風量調節装置。
【請求項２】
前記回動軸の端部に接続される回動手段を備えた請求項１に記載の風量調節装置。
【請求項３】
前記回動手段は、
直交する２本の出力軸を有する回動伝達手段であって、前記２本の出力軸のうちの１本の出力軸が前記回動軸に連結された回動伝達手段と、
前記２本の出力軸のうちの他の１本の出力軸に連結されたハンドルであって、前記回動伝達手段から下向きに伸長されたハンドルと、
を有する請求項２に記載の風量調節装置。
【請求項４】
前記回動軸を所望の位置で固定する固定手段を備えた請求項１から３のいずれかに記載の風量調節装置。
【請求項５】
前記風量調節装置は、前記ガイド板を２枚有し、
前記メインダクトは断面略矩形形状であり、
前記２枚のガイド板は、前記メインダクトの両側面にそれぞれ設けられる請求項１から４のいずれかに記載の風量調節装置。
【請求項６】
前記長孔にはシール部材が設けられ、該シール部材を介して前記開度調整軸が前記長孔に嵌合される請求項１から５のいずれかに記載の風量調節装置。
【請求項７】
前記回動軸は、前記分岐ダクトの境界面の延長線上に配置される請求項１から６のいずれかに記載の風量調節装置。
【発明の詳細な説明】
【技術分野】
【０００１】
本発明は風量調節装置に係り、特に主ダクトから分岐ダクトへの送風量を調整可能な風量調節装置に関する。
【背景技術】
【０００２】
特許文献１には、主ダクトと複数の分岐ダクトとの接合部に設けられたガイドベーン（ダンパ羽根）が開示されている。このガイドベーンは、ガイドベーンの主ダクト側の端部に回動軸を備え、この回動軸の軸芯が分岐ダクト相互の境界線上に合致もしくは平行させて設けられている。また、このガイドベーンは、円弧状の軌跡を描くガイドベーンの他端に主ダクト外に突出する駆動部が設けられ、主ダクトから各分岐ダクトへ送風するに際し、回動軸を中心としてガイドベーンを主ダクト内で振動させ仕切角度を変化させるように構成されている。したがって、このガイドベーンによれば、前記仕切角度を変化させて一方の分岐ダクトへの風路断面を小さくしたり大きくしたりすると、他方の分岐ダクトへの風路断面がこれと反比例的に変化するので、分岐ダクトへの送風量が分配される。
【０００３】
特許文献１に記載の発明においては、ガイドベーンの位置調整のための円弧状の細長孔を、ゴム等の弾性体を用いて塞いでいる。しかしながら、ゴム等の弾性体は経時的に劣化し気密性の保持が困難になるという問題があった。したがって、特許文献１に記載の発明は、放射性塵埃を含む空気経路への適用には適さない。
【０００４】
また他の形態の風量調節装置として、図６、７に示すように、開度調整軸１１３を用いてダンパ羽根１１１の角度を変化させる風量調節装置１１０が用いられていた。図６はメインダクト１００、分岐ダクト１０２を含む風量調節装置１１０の側断面図である。また、図７（ａ）は風量調節装置１１０の正面図であり、図７（ｂ）はメインダクト１００の一部を構成する連結ダクト１００Ａに風量調節装置１１０が取り付けられた連結ダクト１００Ａの側面図である。
【０００５】
風量調節装置１１０は、板状のダンパ羽根１１１を備え、ダンパ羽根１１１の一端には、その端面を中心にダンパ羽根１１１を回動可能とする羽根軸１１２が設けられる。ダンパ羽根１１１の下面には、ダンパ羽根１１１の開度を設定する複数（例えば、２本）の開度調整軸１１３が羽根軸１１２と垂直方向に設けられる。開度調整軸１１３は、連結ダクト１１０Ａ下面の開口部に貫通配置され、開度調整軸１１３を上下動させることによりダンパ羽根１１１の角度が調整可能となる。ダンパ羽根１１１の角度調整後、止めネジ１１４と溶接により開度調整軸１１３と連結ダクト１００Ａとを固定する。これにより、ダンパ羽根１１１が固定される。
【０００６】
風量調節装置１１０においては、開度調整軸１１３を貫通させるための孔が連結ダクト１００Ａの下面に形成されるが、溶接等をすることにより気密性は確保できる。しかしながら、風量調節装置１１０においては、ダンパ羽根１１１を羽根軸１１２のみが保持する片持ち支持となっているため、ダンパ羽根１１１の固定が弱い。したがって、ダンパ羽根１１１に高い風圧がかかった場合には、ダンパ羽根１１１が振動し、開度調整軸１１３に振動が伝達されることにより操作に影響を及ぼす結果となっていた。
【先行技術文献】
【特許文献】
【０００７】
【特許文献１】特開昭６１−２０５７４７号公報
【発明の概要】
【発明が解決しようとする課題】
【０００８】
本発明はこのような事情に鑑みてなされたもので、気密性を確保しつつ、ダンパ羽根を所望の角度に確実に固定することができる風量調節装置を提供することを目的とする。
【課題を解決するための手段】
【０００９】
前記目的を達成するために、本発明の風量調節装置は、メインダクトと分岐ダクトとの接続部の前記メインダクト側に設けられた風量調節装置であって、板状のダンパ羽根と、前記ダンパ羽根の両側面の一端部に設けられるとともに前記メインダクトを貫通して配置される回動軸と、前記ダンパ羽根の両側面の他端部に設けられた開度調整軸と、前記回動軸と前記開度調整軸との距離を半径とし前記開度調整軸が嵌合されて摺動される円弧状の長孔を備えるとともに前記メインダクトの内壁部に設けられたガイド板と、を備えたことを特徴とする。
【００１０】
本発明の風量調節装置によれば、ダンパ羽根の両側面の一端部に設けられた回動軸がメインダクトを貫通して配置される。これにより、回動軸がメインダクトに対して回動自在に設けられる。そのため、回動軸を回動させることによりガイド羽根を任意の位置に調整し、分岐ダクトへの風路断面を変化させ、各分岐ダクトへの風量を調整することができる。また、メインダクトには、回動軸が挿通される孔が形成されるだけであるため、公知のシール方法等を用いることで気密性を確保できる。したがって、放射性塵埃が外部に漏れることを防止することができる。
【００１１】
また、本発明の風量調節装置によれば、ダンパ羽根の両側面の他端部には開度調整軸が設けられ、回動軸と開度調整軸との距離を半径とする略円弧状の長孔が形成されたガイド板がメインダクトの内壁部に設けられ、長孔には開度調整軸が嵌合されて摺動される。これにより、ダンパ羽根が回動軸と開度調整軸とによって両持ち支持されるので、ダンパ羽根を所望の角度に確実に固定することができる。
【００１２】
本発明の風量調節装置は、前記回動軸の端部に接続される回動手段を備えることが望ましい。これにより、回動手段によりダンパ羽根を所望の角度に調整することができる。
【００１３】
本発明の風量調節装置は、前記回動手段は、直交する２本の出力軸を有する回動伝達手段であって、前記２本の出力軸のうちの１本の出力軸が前記回動軸に連結された回動伝達手段と、前記２本の出力軸のうちの他の１本の出力軸に連結されたハンドルであって、前記回動伝達手段から下向きに伸長されたハンドルと、を有することが望ましい。
【００１４】
本発明の風量調節装置によれば、直交する２本の出力軸を有する回動伝達手段の２本の出力軸のうちの１本の出力軸に回動軸が連結され、他の１本の出力軸にハンドルが連結される。これにより、ハンドルを回転させることで回動軸を回動させ、ガイド羽根を任意の位置に調整することができる。
【００１５】
本発明の風量調節装置は、前記回動軸を所望の位置で固定する固定手段を備えることが望ましい。これにより、ダンパ羽根を調整後の位置で確実に固定することができる。
【００１６】
本発明の風量調節装置は、前記風量調節装置は、前記ガイド板を２枚有し、前記メインダクトは断面略矩形形状であり、前記２枚のガイド板は、前記メインダクトの両側面にそれぞれ設けられることが望ましい。
【００１７】
本発明の風量調節装置は、前記長孔にはシール部材が設けられ、該シール部材を介して前記開度調整軸が前記長孔に嵌合されることが望ましい。
【００１８】
本発明の風量調節装置によれば、長孔と開度調整軸との間に弾性部材を設けることで、長孔内で開度調整軸を摺動可能にすると共に、開度調整軸が長孔内で動かないようにすることができる。したがって、ダンパ羽根の振動を確実に抑制することができる。
【００１９】
本発明の風量調節装置は、前記回動軸は、前記分岐ダクトの境界面の延長線上に配置される。
【００２０】
本発明の風量調節装置によれば、分岐ダクトの境界面の延長線上に回動軸、すなわちダンパ羽根の一端が位置するため、メインダクトから各分岐ダクトへの風量の調整をより効果的に行うことができる。
【発明の効果】
【００２１】
本発明によれば、気密性を確保しつつ、ダンパ羽根を所望の角度に確実に固定することができる。
【図面の簡単な説明】
【００２２】
【図１】メインダクト１００、分岐ダクト１０２を含む本発明の第１の実施の形態に係るスプリットダンパ１の側断面図である
【図２】スプリットダンパ１の要部斜視図である。
【図３】スプリットダンパ１の正面図である。
【図４】スプリットダンパ１の側面図である。
【図５】ダンパ羽根の斜視図である。
【図６】従来の風量調節装置の側断面図である。
【図７】（ａ）は従来の風量調節装置の正面図であり、（ｂ）は風量調節装置が取り付けられた連結ダクトの側面図である。
【発明を実施するための形態】
【００２３】
以下、添付図面に従って本発明に係る風量調節装置の好ましい実施の形態について説明する。本発明では、原子力発電所における排気ダクトに設けられる風量調節装置を例に説明する。風量調節装置とは、換気空調系ダクトが分岐する場合に、各分岐ダクトへの風量を調整する装置であり、スプリットダンパ、ガイドベーン等を含む概念である。
【００２４】
図１は、メインダクト１００、分岐ダクト１０２を含むスプリットダンパ１の側断面図である。図２は、スプリットダンパ１の要部斜視図であり、図３はスプリットダンパ１の正面図であり、図４はメインダクト１００の一部を構成する連結ダクト１００Ａにスプリットダンパ１が取り付けられた連結ダクト１００Ａの側面図である。
【００２５】
スプリットダンパ１は、図１〜４に示すように、主として、ダンパ羽根１１と、羽根軸１２と、開度調整軸１３と、開度調整軸ガイド１４と、羽根軸回動手段１５と、ハンドル１６とで構成される。ダンパ羽根１１と、羽根軸１２と、開度調整軸１３と、開度調整軸ガイド１４とは連結ダクト１００Ａの内部に設けられ、羽根軸回動手段１５は連結ダクト１００Ａの外部に設けられる。
【００２６】
メインダクト１００、分岐ダクト１０２は、角ダクトといわれる断面略矩形形状のダクトであり、幅が１ｍ程度である。メインダクト１００、分岐ダクト１０２は、放射性塵埃を含む空気を排出する。メインダクト１００は、分岐ダクト１０２ａ、１０２ｂにより２本に分岐される。メインダクト１００、分岐ダクト１０２の端面には、連結ダクト１００Ａ取り付け用のフランジ（図示せず）が形成される。
【００２７】
連結ダクト１００Ａは、メインダクト１００、分岐ダクト１０２の断面と略同一形状の断面形状を有する筒状の部材であり、メインダクト１００の一部を構成する。連結ダクト１００Ａの両端面にはフランジ１０ａが形成され、所望の端面に形成されたフランジ１０ａがメインダクト１００のフランジと結合されることにより、連結ダクト１００Ａがメインダクト１００に連結される。また、他の端面に形成されたフランジ１０ａが分岐ダクト１０２のフランジと結合されることにより、連結ダクト１００Ａが分岐ダクトに連結される。
【００２８】
連結ダクト１００Ａの両側面には、羽根軸１２が貫通配置される孔１０ｂがそれぞれ同軸に形成される。連結ダクト１００Ａの外側には、孔１０ｂと同軸に軸受１０ｃが設けられる。孔１０ｂ及び軸受１０ｃは、スプリットダンパ１を分岐ダクト１０に取り付けた時に、分岐ダクト１０２ａと分岐ダクト１０２ｂとの境界面の延長線上に位置するように設けられる。連結ダクト１００Ａの右下角部には、ハンドル１６を固定するフランジ１０ｄが形成される。
【００２９】
ダンパ羽根１１は、分岐ダクト１０２ａ、１０２ｂの送風量を調整するための板状の部材であり、図５に示すように、前後端がＲ状曲面となるように形成されている。ダンパ羽根１１の両側面の後端近傍には、ダンパ羽根１１を回動可能とする羽根軸１２がそれぞれ同軸に設けられる。ダンパ羽根１１の両側面の前端近傍には、開度調整軸１３がそれぞれ同軸に設けられる。
【００３０】
羽根軸１２は、直径約１２ｍｍ程度のみがき棒鋼である。２本の羽根軸１２は、一端がダンパ羽根１１の両側面に固着される。これにより、羽根軸１２とダンパ羽根１１とが一体形成される。羽根軸１２の他端は、連結ダクト１００Ａの孔１０ｂを貫通して軸受１０ｃに挿通される。これにより、羽根軸１２及びダンパ羽根１１が連結ダクト１００Ａに対して回動可能となる。連結ダクト１００Ａから突出された羽根軸１２の端部であって、ダンパ羽根１１の右側面に設けられた羽根軸１２の端部には、羽根軸回動手段１５が連結される。
【００３１】
開度調整軸１３は、直径約１２ｍｍ程度の棒材である。２本の開度調整軸１３は、一端がダンパ羽根１１に固着される。これにより、開度調整軸１３とダンパ羽根１１とが一体形成される。開度調整軸１３の他端は、開度調整軸ガイドの長孔１４ａ（後で説明する）に嵌合される。開度調整軸１３のダンパ羽根１１に設けられていない側の両端間の距離は、連結ダクト１００Ａの内側の幅より数ｍｍ小さいため、ダンパ羽根１１が連結ダクト１００Ａの内側を回動することができる。
【００３２】
開度調整軸ガイド１４は、厚さが１０ｍｍ程度の略長方形の板状の部材であり、連結ダクト１００Ａの左右の側面の内側にそれぞれ設けられる。２枚の開度調整軸ガイド１４の間の距離は、ダンパ羽根１１の幅より数ｍｍ大きいため、ダンパ羽根１１が２枚の開度調整軸ガイド１４の内側を回動することができる。
【００３３】
開度調整軸ガイド１４には、開度調整軸１３と羽根軸１２との距離を半径とする円弧状の長孔１４ａが形成される。長孔１４ａの幅は、開度調整軸１３の直径より数ｍｍ大きくなるように形成される。２枚の開度調整軸ガイド１４は、ダンパ羽根１１が羽根軸１２を中心に回動した時に、開度調整軸１３が長孔１４ａに嵌合可能かつ摺動可能な位置にそれぞれ設けられる。これにより、ダンパ羽根１１が回動された場合においても、開度調整軸１３が長孔１４ａに保持され、ダンパ羽根１１が羽根軸１２と開度調整軸１３とで保持される。すなわち、ダンパ羽根１１は両持ち支持となる。
【００３４】
開度調整軸１３の直径、開度調整軸ガイド１４の材質及び板厚、長孔１４ａの幅は、メインダクト１００内の風速に応じて、例えば、以下のように設定する。というのは、風速が早くなればダンパ羽根１１にかかる力が強くなり、したがって、開度調整軸にかかる力も強くなるからである。
（１）風速１０ｍ／ｓ以下、又は静圧９８０Ｐａ以下の場合
開度調整軸１３の直径：φ１２．７ｍｍ
開度調整軸ガイド１４の材質：ＳＳ４００
開度調整軸ガイド１４の板厚：９ｍｍ
長孔１４ａの幅：１８ｍｍ
（２）風速１０ｍ／ｓ以上、又は静圧９８０Ｐａ以上の場合
開度調整軸１３の直径：φ２０ｍｍ
開度調整軸ガイド１４の材質：ＳＳ４００
開度調整軸ガイド１４の板厚：９ｍｍ
長孔１４ａの幅：１８ｍｍ
このように、風速により開度調整軸１３の直径、開度調整軸ガイド１４の板厚、及び長孔１４ａの幅を異ならせることで、確実にダンパ羽根１１の振動を抑え、羽根軸１２やダンパ羽根１１の破損を防止することができる。
【００３５】
羽根軸回動手段１５は、直交する２本の軸を有するギアボックスであり、内部にかさ歯車、ウォームギア、ハイポイドギア等のセルフロック機構を有する動力伝達機構が設けられる。２本の軸のうちの１本はハンドル１６の軸に連結される。これにより、ハンドル１６の軸の回転を他の軸に伝達することができる。また、動力伝達機構は、ラチェット機構、ワンウェイクラッチ等を有し、所定の方向にのみ回転可能となるように形成されている。したがって、ハンドル１６の軸に連結されていない軸が回転された場合においても、ハンドル１６の軸に連結された軸が回転されることはない。
【００３６】
羽根軸回動手段１５の２本の軸のうちの他の一本は羽根軸１２に連結される。操作者がハンドル１６を回転させると、羽根軸回動手段１５はハンドル１６の回転を羽根軸１２に伝達し、羽根軸１２を回動させる。これにより、ダンパ羽根１１が羽根軸１２を中心に回動される。
【００３７】
羽根軸回動手段１５の筐体は、全体が溶接等により連結ダクト１００Ａの側面に固定される。したがって、高い気密性を保持し、羽根軸回動手段１５の筐体と連結ダクト１００Ａとの隙間から放射性塵埃が外部に漏れることを防止することができる。
【００３８】
また、羽根軸回動手段１５は、図示しない角度表示部が外部から視認可能に設けられる。これにより、羽根軸１２の回動角度、すなわちダンパ羽根１１の回動角度が外部から確認可能となる。
【００３９】
ハンドル１６は、棒状の部材であり、一端は羽根軸回動手段１５の出力軸の１本に連結される。ハンドル１６は、羽根軸回動手段１５の筐体から下向きに伸長され、フランジ１０ｄの孔を貫通するように設けられる。フランジ１０ｄの孔を貫通した先の端部には、略円板状の把持部１６ａが設けられる。これにより、操作者が把持部１６ａを把持してハンドル１６を回転させることができる。
【００４０】
次に、このように構成されたスプリットダンパ１を設置する方法について説明する。
【００４１】
（１）メインダクト１００及び分岐ダクト１０２のフランジと、フランジ１０ａとを固定して、スプリットダンパ１をメインダクト１００及び分岐ダクト１０２の分岐部に取り付ける。スプリットダンパ１は、羽根軸１２がメインダクト１００側に位置し、開度調整軸１３が分岐ダクト１０２側に位置するように取り付けられる。この時は、ダンパ羽根１１の角度はまだ調整されておらず、羽根軸回動手段１５のセルフロック機構の保持力により、ダンパ羽根１１は略水平に保持されている。
【００４２】
（２）操作者は、羽根軸回動手段１５に設けられた角度表示部を確認しながら、ダンパ羽根１１が所望の角度となるようにハンドル１６を回転させる。これにより、分岐ダクト１０２ａ、１０２ｂへの風路断面を変化させることができる。なお、ダンパ羽根１１は、羽根軸回動手段１５のセルフロック機構の保持力により回動後の位置で保持される。
【００４３】
（３）ハンドル１６をフランジ１０ｄに固定する。これにより、ダンパ羽根１１が所望の角度で固定される。ハンドル１６をフランジ１０ｄに固定する方法としては、例えば、フランジ１０ｄにナット等を取り付け、ナットとハンドル１６とをイモネジで固定する等の方法を用いることができる。
【００４４】
（４）連結ダクト１００Ａから突出している羽根軸１２と孔１０ｂとの間をゴム等の弾性体でシールする。これにより、高い気密性を確保し、羽根軸１２と孔１０ｂとの隙間から放射性塵埃が外部に漏れることを防止することができる。なお、羽根軸１２と孔１０ｂとの間をシールする方法としては、公知の様々な方法を用いることができる。
【００４５】
本実施の形態によれば、ダンパ羽根を所望の角度に調整することで、分岐ダクトへの風路断面を変化させ、各分岐ダクトへの風量を調整することができる。
【００４６】
また、本実施の形態によれば、ダンパ羽根１１は両持ち支持であるため、気流によるダンパ羽根の振動を抑制することができる。
【００４７】
また、本実施の形態によれば、開口部がないため、気密性を確保し、放射性塵埃が外部に漏れることを防止することができる。
【００４８】
なお、本実施の形態では、スプリットダンパ１の交換を容易にするため、連結ダクト１００Ａをメインダクト１００に連結し、連結ダクト１００Ａにダンパ羽根１１と、羽根軸１２と、開度調整軸１３と、開度調整軸ガイド１４と、羽根軸回動手段１５とを設けるようにしたが、連結ダクト１００Ａは必須ではない。ダンパ羽根１１と、羽根軸１２と、開度調整軸１３と、開度調整軸ガイド１４と、羽根軸回動手段１５とを直接メインダクト１００に設けるようにしてもよい。
【００４９】
また、本実施の形態では、２本の開度調整軸１３は同軸に設けられるが、同軸である必要はない。開度調整軸１３の回動半径（羽根軸１２と開度調整軸１３との距離）に応じて開度調整軸ガイド１４の長孔１４ａを形成し、開度調整軸１３が長孔１４ａ内を摺動可能であれば、開度調整軸１３は任意の位置に設けることができる。
【００５０】
また、本実施の形態では、開度調整軸１３が長孔１４ａ内を摺動するため、開度調整軸１３と長孔１４ａとの間に０．５ｍｍ程度の隙間があるが、長孔１４ａの内側にゴム等の弾性体を設け、弾性体を介して開度調整軸１３を長孔１４ａ内に設けるようにしてもよい。これにより、開度調整軸１３を長孔１４ａ内で摺動可能にすると共に、開度調整軸１３が長孔１４内で動かないようにすることができる。したがって、ダンパ羽根の振動を確実に抑制することができる。
【００５１】
また、本実施の形態では、連結ダクト１００Ａの両側面に設けられた孔１０ｂ及び軸受１０ｃは、スプリットダンパ１を分岐ダクト１０に取り付けた時に、分岐ダクト１０２ａと分岐ダクト１０２ｂとの境界面の延長線上に位置するように設けられたが、孔１０ｂ及び軸受１０ｃの位置はこれに限定されない。ただし、分岐ダクト１０２ａと分岐ダクト１０２ｂとの境界面の延長線上に孔１０ｂ及び軸受１０ｃの軸が位置する場合には、メインダクト１００から各分岐ダクトへの風量の調整をより効果的に行うことができる。
【００５２】
また、本実施の形態では、連結ダクト１００Ａの両側面に孔１０ｂが設けられ、羽根軸１２がメインダクト１００の両側面から突出されたが、羽根軸１２は１本がメインダクト１００の側面から突出すればよく、他の１本の羽根軸はメインダクト１００の側面から突出しなくてもよい。この場合には、軸受１０ｃをメインダクト１００の内側に設ける様にすればよい。この場合には、軸受１０ｃの分だけダンパ羽根１１とメインダクト１００との隙間が空くが、羽根軸１２と孔１０ｂとの間をゴム等の弾性体でシールする必要はなくなる。
【００５３】
また、本実施の形態では、一端がダンパ羽根１１に固着されるように２本の羽根軸１２が設けられるが、１本の羽根軸をダンパ羽根１１の表面に固着するようにしてもよい。開度調整軸１３についても同様に、１本の開度調整軸をダンパ羽根１１の表面に固着するようにしてもよい。
【符号の説明】
【００５４】
１：スプリットダンパ、１０：ケーシング、１１：ダンパ羽根、１２：羽根軸、１３：開度調整軸、１４：開度調整軸ガイド、１５：羽根軸回動手段、１６：ハンドル、１００：メインダクト、１０２：分岐ダクト
【図１】
2011112234.tif 000003
【図２】
2011112234.tif 000004
【図３】
2011112234.tif 000005
【図４】
2011112234.tif 000006
【図５】
2011112234.tif 000007
【図６】
2011112234.tif 000008
【図７】
2011112234.tif 000009